(57)【特許請求の範囲】
【請求項１】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法を用いて、入力された前記指定色を前記ガマットの範囲内の各変換色にマッピングするマッピングステップと、
マッピングされた前記各変換色のうち一の変換色を選択する選択ステップと、
前記指定色が前記ガマットの範囲内の色であると判定されたとき前記指定色を前記基準色として設定し、前記指定色が前記ガマットの範囲内の色でないと判定されたとき前記一の変換色を前記基準色として設定する設定ステップと
を備え、
前記複数のガマットマッピング方法には、前記指定色の色域に応じて異なるガマットマッピング方法が含まれることを特徴とする色選択方法。
【請求項２】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法のうち一のガマットマッピング方法を選択する選択ステップと、
選択された前記一のガマットマッピング方法を用いて前記指定色を前記ガマットの範囲内の変換色にマッピングするマッピングステップと、
マッピングされた前記変換色を前記基準色として設定する設定ステップと
を備え、
前記複数のガマットマッピング方法には、前記指定色の色域に応じて異なるガマットマッピング方法が含まれることを特徴とする色選択方法。
【請求項３】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法を用いて、入力された前記指定色を前記ガマットの範囲内の各変換色にマッピングするマッピングステップと、
マッピングされた前記各変換色のうち一の変換色を選択する選択ステップと、
前記指定色が前記ガマットの範囲内の色であると判定されたとき前記指定色を前記基準色として設定し、前記指定色が前記ガマットの範囲内の色でないと判定されたとき前記一の変換色を前記基準色として設定する設定ステップと
を備え、
前記判定ステップでは、前記指定色が前記ガマットの範囲内の色であるか否かをメディア毎に判定し、
前記指定色が前記ガマットの範囲内の色であると判定された前記メディアに関する情報のみを表示することを特徴とする色選択方法。
【請求項４】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法のうち一のガマットマッピング方法を選択する選択ステップと、
選択された前記一のガマットマッピング方法を用いて前記指定色を前記ガマットの範囲内の変換色にマッピングするマッピングステップと、
マッピングされた前記変換色を前記基準色として設定する設定ステップと
を備え、
前記判定ステップでは、前記指定色が前記ガマットの範囲内の色であるか否かをメディア毎に判定し、
前記指定色が前記ガマットの範囲内の色であると判定された前記メディアに関する情報のみを表示することを特徴とする色選択方法。
【請求項５】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法を用いて、入力された前記指定色を前記ガマットの範囲内の各変換色にマッピングするマッピングステップと、
マッピングされた前記各変換色のうち一の変換色を選択する選択ステップと、
前記指定色が前記ガマットの範囲内の色であると判定されたとき前記指定色を前記基準色として設定し、前記指定色が前記ガマットの範囲内の色でないと判定されたとき前記一の変換色を前記基準色として設定する設定ステップと
を備え、
前記指定色及び前記各変換色を１つの均等色空間上にプロットしたグラフを表示することを特徴とする色選択方法。
【請求項６】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法のうち一のガマットマッピング方法を選択する選択ステップと、
選択された前記一のガマットマッピング方法を用いて前記指定色を前記ガマットの範囲内の変換色にマッピングするマッピングステップと、
マッピングされた前記変換色を前記基準色として設定する設定ステップと
を備え、
前記指定色及び前記各変換色を１つの均等色空間上にプロットしたグラフを表示することを特徴とする色選択方法。
【請求項７】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法を用いて、入力された前記指定色を前記ガマットの範囲内の各変換色にマッピングするマッピングステップと、
マッピングされた前記各変換色のうち一の変換色を選択する選択ステップと、
前記指定色が前記ガマットの範囲内の色であると判定されたとき前記指定色を前記基準色として設定し、前記指定色が前記ガマットの範囲内の色でないと判定されたとき前記一の変換色を前記基準色として設定する設定ステップと
を備え、
前記カラーチャート上には、複数の前記カラーパッチが二次元的に配置されていることを特徴とする色選択方法。
【請求項８】
基準色又はその近傍色からなる複数のカラーパッチを備えるカラーチャートを印刷機により印刷し、前記カラーチャートの中から指定色に最も近い色のカラーパッチを選択する色選択方法であって、
前記指定色の色値を入力する入力ステップと、
入力された前記指定色が前記印刷機のガマットの範囲内の色であるか否かを判定する判定ステップと、
前記指定色が前記ガマットの範囲内の色でないと判定されたとき、複数のガマットマッピング方法のうち一のガマットマッピング方法を選択する選択ステップと、
選択された前記一のガマットマッピング方法を用いて前記指定色を前記ガマットの範囲内の変換色にマッピングするマッピングステップと、
マッピングされた前記変換色を前記基準色として設定する設定ステップと
を備え、
前記カラーチャート上には、複数の前記カラーパッチが二次元的に配置されていることを特徴とする色選択方法。
【請求項９】
請求項７又は８に記載の色選択方法において、
前記カラーチャートは、同一の行又は列において隣接する各前記カラーパッチの色差が略等間隔にされていることを特徴とする色選択方法。
【請求項１０】
請求項１〜９のいずれか１項に記載の色選択方法において、
マッピングされた前記各変換色を複数の候補色として表示する表示ステップをさらに備える
ことを特徴とする色選択方法。
【請求項１１】
請求項１〜９のいずれか１項に記載の色選択方法において、
前記判定ステップは、前記指定色が前記ガマットの境界付近の色であるか否かをさらに判定し、
前記指定色が前記ガマットの境界付近の色であると判定されたとき、その旨の警告をする警告ステップを備える
ことを特徴とする色選択方法。
【請求項１２】
請求項１１記載の色選択方法において、
前記警告ステップは、前記指定色が前記印刷機のガマットの範囲内の色であり、且つ、前記指定色が前記ガマットの境界付近の色であると判定されたとき、その旨の警告をする
ことを特徴とする色選択方法。
【請求項１３】
請求項１〜１２のいずれか１項に記載の色選択方法により選択された色の色値を第１の色値として取得するステップと、
前記指定色の色値を第２の色値として取得するステップと、
取得された前記第１及び第２の色値に基づいて前記印刷機のプロファイルを補正するステップと
を備えることを特徴とする画像処理方法。
【請求項１４】
請求項１〜１２のいずれか１項に記載の色選択方法により選択された色の色値を選択色値として取得するステップと、
取得された前記選択色値を、目標プロファイルを用いてデバイス依存データに変換するステップと、
変換された前記デバイス依存データ又は取得された前記選択色値のうち少なくとも１つを表示するステップと
を備えることを特徴とする画像処理方法。
【請求項１５】
請求項１〜１２のいずれか１項に記載の色選択方法により選択された色の色値を第１の色値として取得する第１取得部と、
前記指定色の色値を第２の色値として取得する第２取得部と、
前記第１取得部により取得された前記第１の色値及び前記第２取得部により取得された前記第２の色値に基づいて前記印刷機のプロファイルを補正する補正部と
を有することを特徴とする画像処理装置。
【請求項１６】
請求項１〜１２のいずれか１項に記載の色選択方法により選択された色の色値を選択色値として取得する取得部と、
前記取得部により取得された前記選択色値を、目標プロファイルを用いてデバイス依存データに変換するデータ変換部と、
前記データ変換部により変換された前記デバイス依存データ又は取得された前記選択色値のうち少なくとも１つを表示する表示部と
を有することを特徴とする画像処理装置。
【請求項１７】
コンピュータを、
指定色の色値を入力する手段、
入力された前記指定色が印刷機のガマットの範囲内の色であるか否かを判定する手段、
前記指定色が前記ガマットの範囲内の色でないと判定されたとき、複数のガマットマッピング方法を用いて、入力された前記指定色を前記ガマットの範囲内の各変換色にマッピングする手段、
マッピングされた前記各変換色のうち一の変換色を選択する手段、
前記指定色が前記ガマットの範囲内の色であると判定されたとき前記指定色を基準色として設定し、前記指定色が前記ガマットの範囲内の色でないと判定されたとき前記一の変換色を基準色として設定する手段、
設定された基準色又はその近傍色からなる複数のカラーパッチを備えるカラーチャートの画像データを生成する手段、
生成された前記画像データに基づいて前記印刷機にカラーチャートを印刷させる手段
として機能させ、
前記複数のガマットマッピング方法には、前記指定色の色域に応じて異なるガマットマッピング方法が含まれることを特徴とするプログラム。
【請求項１８】
コンピュータを、
指定色の色値を入力する手段、
入力された前記指定色が印刷機のガマットの範囲内の色であるか否かを判定する手段、
前記指定色が前記ガマットの範囲内の色でないと判定されたとき、複数のガマットマッピング方法のうち一のガマットマッピング方法を選択する手段、
選択された前記一のガマットマッピング方法を用いて前記指定色を前記ガマットの範囲内の変換色にマッピングする手段、
マッピングされた前記変換色を基準色として設定する手段、
設定された前記基準色又はその近傍色からなる複数のカラーパッチを備えるカラーチャートの画像データを生成する手段、
生成された前記画像データに基づいて前記印刷機にカラーチャートを印刷させる手段
として機能させ、
前記複数のガマットマッピング方法には、前記指定色の色域に応じて異なるガマットマッピング方法が含まれることを特徴とするプログラム。
【発明の詳細な説明】
【技術分野】
【０００１】
本発明は、基準色又はその近傍色からなる複数のカラーパッチを備えるカラーチャートを印刷機により印刷し、前記カラーチャートの中から指定色に最も近い色のカラーパッチを選択する色選択方法、画像処理方法、画像処理装置及びプログラムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、合成紙・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。これらのカラーマッチング技術は、インクジェット方式の印刷機に限られず、電子写真、感熱方式等を含むデジタルプリンタ全般及びその周辺機器に横断的に適用できるものである。
【０００５】
上述の「指定色の調整方法」とは、画像全体のカラーバランスを維持しつつ、カラーチップの色見本等により指定された色（指定色）と略一致するように前記画像の注目部分の色を微調整する方法であり、これに関する種々の方法が開示されている。
【０００６】
例えば、特許文献１には、表示装置上に表示した指定色と、印刷機から印刷される色との色感を一致させるための方法が開示されている。具体的には、表示装置上に表示色の変更が自在な表示窓と、表示された指定色に近いと考えられて印刷された２７色のカラーチャートが開示されている（特許文献１の図４及び図５参照）。
【０００７】
このように構成されているので、作業者は、指定色が前記表示窓に表示されるように設定し、印刷機からカラーチャートが印刷されるように印刷ボタンを押し、このカラーチャートの２７色の中から指定色に最も近い色を選択し、その色の番号を画面を介して入力することにより、表示装置上に表示した指定色と、印刷機から印刷される色との色感を厳密に近似させることができる旨が記載されている。
【０００８】
指定色が印刷機のガマットの範囲内（以下、単に「ガマット内」という場合がある。）の色である場合は、少なくともその指定色の近傍の色は再現可能であることから、特段の問題は生じない。
【０００９】
一方、指定色が印刷機のガマット範囲外（以下、単に「ガマット外」という場合がある。）の色である場合は、その指定色を再現することは物理的に不可能である。かかる場合、指定色をガマット内の所定の色（指定色に最も近い色）に置き換えた上で、画像全体のカラーバランスを考慮したガマットマッピングを行う方法が用いられる。このとき、前記所定の色を決定する際、「指定色に最も近い色」の定義を明確にすることにより、最適色の方向性を定め、ガマットマッピング方法（以下、単に「マッピング方法」という場合がある。）を選択する。
【００１０】
例えば、特許文献２には、作業者の色の嗜好を予め解析しておき、指定された指定色がガマット外の色である場合に、その解析結果に基づいて指定色をガマット内の色にマッピングする方法及び装置が開示されている。
【００１１】
また、特許文献３には、ガマット内外判定部により所定の色がガマット外の色であると判定された場合に、ガマットまでの距離に応じた評価関数に基づいてマッピング方法を変更する装置及び方法が開示されている。
【先行技術文献】
【特許文献】
【００１２】
【特許文献１】特開２０００−２１７００７号公報
【特許文献２】特開２００５−８４９３２号公報
【特許文献３】特開２００２−１５２５３５号公報
【発明の概要】
【発明が解決しようとする課題】
【００１３】
しかしながら、特許文献１〜３に開示された方法及び装置によっても、作業者やクライアントが納得できる色を選択できない場合がある。
【００１４】
特許文献１において、カラーチャートを最初に印刷するとき、作業者は、勘に頼りながら指定色に相当する色（２７色のうちの１色）を選択する場合が多い。ガマット内の色であってガマット境界近傍の色は、非線形性が強く色再現の予測が困難であり、且つ、色再現精度が低下する傾向がある。したがって、初期値を適切に選択できなかった場合は、カラーチャートの印刷及び視認作業を何度繰り返すことになる。
【００１５】
特許文献２において、提示画面（特許文献２の図２参照）によるカラーパッチの選択結果がどのように解析・反映されたのか作業者にとって必ずしも明らかでない。また、特許文献３においても、評価関数やマッピング方法による色調整の傾向が作業者にとって必ずしも明らかでない。したがって、指定色の調整作業の際、カラーチャートの再印刷の回数が増すにつれて、指定色に最も近い色に本当に到達できるのかという不安感を作業者に抱かせることになる。
【００１６】
本発明は上記した問題を解決するためになされたもので、指定色がガマット外の色であっても、作業者が納得ずくで且つ効率良くガマット内の色を選択できる画像処理装置、画像処理方法及びプログラムを提供することを目的とする。
【課題を解決するための手段】
【００１７】
本発明は、基準色又はその近傍色からなる複数のカラーパッチを備えるカラーチャートを印刷機により印刷し、前記カラーチャートの中から指定色に最も近い色のカラーパッチを選択する色選択方法に関する。
【００１８】
そして、前記指定色の色値を入力する入力ステップと、入力された前記指定色が前記印刷機のガマットの範囲内の色であるか否かを判定する判定ステップと、前記指定色が前記ガマットの範囲内の色でないと判定されたとき、複数のガマットマッピング方法を用いて、入力された前記指定色を前記ガマットの範囲内の各変換色にマッピングするマッピングステップと、マッピングされた前記各変換色のうち一の変換色を選択する選択ステップと、前記指定色が前記ガマットの範囲内の色であると判定されたとき前記指定色を前記基準色として設定し、前記指定色が前記ガマットの範囲内の色でないと判定されたとき前記一の変換色を前記基準色として設定する設定ステップとを備える。
【００１９】
このように構成しているので、例えばモニタ等の表示画面上での目視による色の確認作業が容易となり、指定色がガマット外の色であっても、作業者が納得ずくで且つ効率良くガマット内の色を選択できる。
【００２０】
また、前記複数のガマットマッピング方法には、前記指定色の色域に応じて異なるガマットマッピング方法を用いる方法が含まれることが好ましい。
【００２１】
また、マッピングされた前記各変換色を複数の候補色として表示する表示ステップをさらに備えることが好ましい。
【００２２】
さらに、前記複数のガマットマッピング方法には、前記指定色の色域に応じて異なるガマットマッピング方法を用いる方法が含まれることが好ましい。
【００２３】
また、前記判定ステップは、前記指定色が前記印刷機のガマットの範囲内の色であると判定したとき、前記指定色が前記ガマットの境界付近の色であるか否かをさらに判定し、前記指定色が前記ガマットの境界付近の色であると判定されたとき、その旨の警告をする警告ステップを備えることが好ましい。
【００２４】
さらに、前記警告ステップは、前記指定色が前記印刷機のガマットの範囲内の色であり、且つ、前記指定色が前記ガマットの境界付近の色であると判定されたとき、その旨の警告をすることが好ましい。
【００２５】
本発明に係る色選択方法は、前記指定色の色値を入力する入力ステップと、入力された前記指定色が前記印刷機のガマットの範囲内の色であるか否かを判定する判定ステップと、前記指定色が前記ガマットの範囲内の色でないと判定されたとき、複数のガマットマッピング方法のうち一のガマットマッピング方法を選択する選択ステップと、選択された前記一のガマットマッピング方法を用いて前記指定色を前記ガマットの範囲内の変換色にマッピングするマッピングステップと、マッピングされた前記変換色を前記基準色として設定する設定ステップとを備える。
【００２６】
また、入力された前記指定色が各メディアのガマットの範囲内の色であるか否かをそれぞれ判定する第２判定ステップと、前記指定色が前記ガマットの範囲内の色であるか否かの判定結果を前記メディア毎に表示する第２表示ステップとをさらに備えることが好ましい。
【００２７】
さらに、前記第２表示ステップは、前記指定色が前記ガマットの範囲内の色であると判定された前記メディアに関する情報のみを表示することが好ましい。
【００２８】
本発明に係る画像処理方法は、上記のいずれかの色選択方法により選択された色の色値を第１の色値として取得するステップと、前記指定色の色値を第２の色値として取得するステップと、取得された前記第１及び第２の色値に基づいて前記印刷機のプロファイルを補正するステップとを備える。
【００２９】
本発明に係る画像処理方法は、上記の色選択方法により選択された色の色値を選択色値として取得するステップと、取得された前記選択色値を、目標プロファイルを用いてデバイス依存データに変換するステップと、変換された前記デバイス依存データ又は取得された前記選択色値のうち少なくとも１つを表示するステップとを備える。
【００３０】
本発明に係る画像処理装置は、上記のいずれかの色選択方法により選択された色の色値を第１の色値として取得する第１取得部と、前記指定色の色値を第２の色値として取得する第２取得部と、前記第１取得部により取得された前記第１の色値及び前記第２取得部により取得された前記第２の色値に基づいて前記印刷機のプロファイルを補正する補正部とを有する。
【００３１】
本発明に係る画像処理装置は、上記のいずれかの色選択方法により選択された色の色値を選択色値として取得する取得部と、前記取得部により取得された前記選択色値を、目標プロファイルを用いてデバイス依存データに変換するデータ変換部と、前記データ変換部により変換された前記デバイス依存データ又は取得された前記選択色値のうち少なくとも１つを表示する表示部とを有する。
【００３２】
本発明に係るプログラムは、コンピュータを、指定色の色値を入力する手段、入力された前記指定色が印刷機のガマットの範囲内の色であるか否かを判定する手段、前記指定色が前記ガマットの範囲内の色でないと判定されたとき、複数のガマットマッピング方法を用いて、入力された前記指定色を前記ガマットの範囲内の各変換色にマッピングする手段、マッピングされた前記各変換色のうち一の変換色を選択し、前記指定色が前記ガマットの範囲内の色であると判定されたとき前記指定色を基準色として設定し、前記指定色が前記ガマットの範囲内の色でないと判定されたとき前記一の変換色を基準色として設定する手段、設定された基準色又はその近傍色からなる複数のカラーパッチを備えるカラーチャートの画像データを生成する手段、生成された前記画像データに基づいて前記印刷機にカラーチャートを印刷させる手段として機能させる。
【発明の効果】
【００３３】
本発明に係る色選択方法、画像処理方法、画像処理装置及びプログラムによれば、指定色の色値を入力し、入力された前記指定色が印刷機のガマットの範囲内の色であるか否かを判定し、前記指定色が前記ガマットの範囲内の色でないと判定されたとき、複数のガマットマッピング方法を用いて、入力された前記指定色を前記ガマットの範囲内の各変換色にマッピングし、マッピングされた前記各変換色のうち一の変換色を選択し、前記指定色が前記ガマットの範囲内の色であると判定されたとき前記指定色を基準色として設定し、前記指定色が前記ガマットの範囲内の色でないと判定されたとき前記一の変換色を基準色として設定するようにしたので、例えばモニタ等の表示画面上での目視による色の確認作業が容易となり、指定色がガマット外の色であっても、作業者が納得ずくで且つ効率良くガマット内の色を選択できる。
【図面の簡単な説明】
【００３４】
【図１】本実施形態に係る画像処理装置が組み込まれた印刷システムの斜視説明図である。
【図２】本実施形態に係る指定色調整用カラーチャートの概略正面図である。
【図３】本実施形態に係る画像処理装置の機能ブロック図である。
【図４】本実施形態に係る指定色の入力のための設定画面の例を示す図である。
【図５】本実施形態に係る指定色の調整のための第一の設定画面の例を示す図である。
【図６】本実施形態に係る指定色の調整のための第二の設定画面の例を示す図である。
【図７】本実施形態に係る指定色の調整のための第三の設定画面の例を示す図である。
【図８】本実施形態に係るカラーチャート条件の設定画面の例を示す図である。
【図９】本実施形態に係る推奨するメディアの種類を表示する画面の例を示す図である。
【図１０】本実施形態に係る印刷システムを用いて適切な色の印刷物を得るためのフローチャートである。
【図１１】本実施形態に係るプロファイル変更方法に関するフローチャートである。
【図１２】本実施形態に係る基準色の初期値の設定方法に関するフローチャートである。
【図１３】指定色調整用カラーチャートにおける各カラーパッチの色の設計値の一例を表す図である。
【図１４】図１４Ａ及び図１４Ｂは、図６に示すポインタにより所定の色が選択されたときのパッチ選択画像の一部拡大概略図である。
【図１５】図１５Ａ及び図１５Ｂは、印象一致、明度一致、彩度一致及び最短距離によるマッピング方法の概念を説明する図である。
【図１６】本実施形態の変形例に係る指定色の調整のための第二の設定画面である。
【図１７】図１６に示す第二の設定画面と併せて表示される設定画面の例を示す図である。
【図１８】本実施形態に係る指定色の調整のための第二の設定画面の変形例である。
【図１９】指定された表示パッチが１個である場合、選択された表示パッチに対応する色が新たな基準色として設定される概略図である。
【図２０】指定された表示パッチが２個である場合、選択された表示パッチに対応する色が新たな基準色として設定される概略図である。
【図２１】指定された表示パッチが４個である場合、選択された表示パッチに対応する色が新たな基準色として設定される概略図である。
【発明を実施するための形態】
【００３５】
以下、本発明に係る色選択方法についてそれを実施する画像処理装置並びに印刷システムとの関係において好適な実施形態を挙げ、添付の図面を参照しながら詳細に説明する。
【００３６】
図１は、本実施の形態に係る画像処理装置１６が組み込まれた印刷システム１０の斜視説明図である。
【００３７】
印刷システム１０は、ＬＡＮ１２と、編集装置１４と、画像処理装置１６と、印刷機１８と、測色計２０とを基本的に備える。
【００３８】
ＬＡＮ１２は、イーサネット（登録商標）等の通信規格に基づいて構築されているネットワークである。編集装置１４と、画像処理装置１６と、データベースＤＢとは、ＬＡＮ１２を介して有線又は無線により相互に接続されている。
【００３９】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００４０】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００４１】
また、編集装置１４には図示しないカラースキャナが接続されており、該カラースキャナは、所定の位置にセットされたカラー原稿を光学的に読み取ることで、前記電子原稿の構成要素となるカラー画像データを取得可能である。
【００４２】
画像処理装置１６は、ＰＤＬによる電子原稿をラスタ形式（例えば、Ｂｉｔｍａｐ）に展開し、所望の画像処理、例えば、色変換処理、画像拡縮処理や配置処理等を行い、印刷機１８の印刷方式に適した印刷制御信号に変換し、前記印刷機１８に前記印刷制御信号を送信する各機能を有している。
【００４３】
また、画像処理装置１６は、ＣＰＵ・メモリ等を有する本体２２と、カラー画像を表示する表示装置２４と、入力部としての入力装置２６（キーボード２８及びマウス３０）を備えており、さらに測色計２０が接続されている。
【００４４】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷制御信号に基づいて各色のインクの射出制御を行うことにより、印刷媒体としてのメディア３２（図１では、ロール状の未印刷のメディア３２）上にカラー画像を印刷し、印刷物３４（指定色調整用カラーチャート３４ｃが含まれる。）を形成する。
【００４５】
メディア３２の基材には、合成紙・厚紙・アルミ蒸着紙等の紙類、塩化ビニル・ＰＥＴ等の樹脂やターポリン等を用いることができる。
【００４６】
測色計２０は、測定対象物の色値を測定する。ここで色値とは、三刺激値ＸＹＺ、均等色空間の座標値Ｌ＊ａ＊ｂ＊等のみならず、波長に対する光学物理値の特性、例えば、分光放射分布、分光感度分布、分光反射率又は分光透過率が含まれる。
【００４７】
図２は、指定色調整用カラーチャート３４ｃの概略正面図である。
【００４８】
指定色調整用カラーチャート３４ｃは、メディア３２上に印刷された、色の異なる２７個の略同形状のカラーパッチ３６と、該カラーパッチ３６の行方向及び列方向の配列位置を特定する行番号３８及び列番号４０と、前記指定色調整用カラーチャート３４ｃの印刷条件を識別する情報からなる印刷情報４２とから構成される。
【００４９】
各カラーパッチ３６は、メディア３２の左側部、中央部及び右側部に、縦方向及び横方向に３個ずつ、所定間隔の隙間を設けるように配置されている。各カラーパッチ３６の色は、ＣＭＹＫ値の各信号レベルの範囲（百分率では０％〜１００％、８ビット階調である場合は０〜２５５）の所定の値が設定されている。
【００５０】
識別情報としての行番号３８は上から順番に（１）、（０）、（−１）からなり、それぞれ各カラーパッチ３６の左方部にその位置に対応するように設けられている。一方、識別情報としての列番号４０は、左から順番に（１’）、…、（−１”）からなり、各カラーパッチ３６の上方部にその位置に対応するように設けられている。
【００５１】
印刷情報４２には、印刷機１８の機種、シリアル番号若しくは登録名、後述する印刷モード、メディア３２の種類、印刷日時等が印刷されている。
【００５２】
図３は、本実施形態に係る画像処理装置１６の構成ブロック図である。なお、電子原稿は白抜実線矢印の方向に、カラーチャート用画像データは白抜破線矢印の方向に、その他の各種データは実線矢印の方向にそれぞれ供給されることを表す。
【００５３】
画像処理装置１６の本体２２は、編集装置１４側から供給される電子原稿を入力するＩ／Ｆ５０と、該Ｉ／Ｆ５０を介して供給された電子原稿のＰＤＬ形式をラスタ形式に展開するＲＩＰ５２（ラスタイメージングプロセッサ）と、該ＲＩＰ５２により展開された電子原稿のＣＭＹＫ値（あるいはＲＧＢ値）に対して所定の色変換処理を施して新たなＣＭＹＫ値の画像データを得る色変換処理部５４と、該色変換処理部５４により色変換されて得られた新たなＣＭＹＫ値の画像データを印刷機１８に適した印刷制御信号（インク射出制御データ）に変換する印刷機ドライバ５６（印刷制御部）と、該印刷機ドライバ５６により変換された印刷制御信号を印刷機１８側に出力するＩ／Ｆ５８とを備える。
【００５４】
また、本体２２は、印刷機１８毎にプロファイルを管理する色管理部６０と、指定色調整用カラーチャート３４ｃ又は図示しないプロファイル用カラーチャートを印刷するための画像データを生成する画像データ生成部６２と、表示装置２４との接続を可能とするＩ／Ｆ６４と、入力装置２６（キーボード２８及びマウス３０）との接続を可能とするＩ／Ｆ６６と、測色計２０との接続を可能とするＩ／Ｆ６８とを備える。
【００５５】
さらに、本体２２は、その内部の各構成要素から供給される各種データを記憶し、あるいは記憶する各種データを各構成要素に供給する記憶部７０を備えている。該記憶部７０は、ＲＩＰ５２と、色変換処理部５４と、色管理部６０と、画像データ生成部６２と、Ｉ／Ｆ６４と、Ｉ／Ｆ６６と、Ｉ／Ｆ６８とにそれぞれ接続されている。
【００５６】
なお、色変換処理部５４は、デバイス依存データからデバイス非依存データに変換する目標プロファイル処理部７２と、デバイス非依存データからデバイス依存データに変換するする印刷プロファイル処理部７４とを備える。ここで、デバイス依存データとは、各種デバイスを適切に駆動するためのＣＭＹＫ値、ＲＧＢ値等で定義されるデータである。また、デバイス非依存データとは、ＨＳＬ、ＨＳＢ、ＣＩＥＬＡＢ座標系、ＣＩＥＬＵＶ座標系、ＸＹＺ等の表色系で定義されるデータである。
【００５７】
また、画像データ生成部６２は、指定色調整用カラーチャート３４ｃを印刷するための画像データを生成する指定色調整用データ生成部７６と、図示しないプロファイル用カラーチャートを印刷するための画像データを生成するプロファイル用データ生成部７８と、指定色調整用カラーチャート３４ｃ上の複数のカラーパッチ３６の配設位置を模擬した画像データを生成する模擬データ生成部７９とを備える。
【００５８】
さらに、色管理部６０は、印刷機１８毎にプロファイルを生成・補正するプロファイル生成部８０（補正部）と、印刷機１８毎に指定色を管理する指定色管理部８２とを備える。ここで、指定色とは、印刷機１８を用いて印刷物３４上で再現させるべく、カラーチップの色見本等により指定された色である。
【００５９】
さらにまた、指定色管理部８２は、後述するカラーチャート条件（基準色、色差間隔及びガマットマッピング方法）を設定するカラーチャート条件設定部８４（設定部）と、印刷機１８の色値のずれを補正する色ずれ補正部８６と、所定のカラーパッチのＬ＊ａ＊ｂ＊値（デバイス非依存データ）を取得し、該Ｌ＊ａ＊ｂ＊値をＣＭＹＫ値（デバイス依存データ）に変換するパッチ色データ変換部８８（取得部、第１取得部、データ変換部）と、所定の色が出力デバイス（印刷機１８を含む。）のガマットの範囲内の色か否かを判定するガマット内外判定部９０（判定部）と、複数のガマットマッピングアルゴリズム（以下、「マッピング方法」という。）に従って第１ガマットを第２ガマットに色変換するマッピング部９２と、複数のマッピング方法から一のマッピング方法を選択するマッピング選択部９４（選択部）と、表示された指定色調整用カラーチャート３４ｃの模擬画像上の指示座標に対応する色が有する色値を算出する指示色算出部９６とから構成される。
【００６０】
さらに、ＲＩＰ５２は、電子原稿のラスタ形式化の際に、印刷機１８の解像度等に対応した画像拡縮処理や、印刷フォーマットに対応した回転・反転処理等の種々の画像処理を行うことができる。
【００６１】
さらに、印刷機ドライバ５６は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００６２】
さらに、目標プロファイル処理部７２又は印刷プロファイル処理部７４は、印刷機１８の印刷モードに応じてプロファイルを補正することができる。ここで、印刷モードとは、印刷ヘッドのノズル数、印刷ヘッドの走査時におけるインク射出タイミング（片方向・双方向）、パス数、搭載インク色数及びその種類、インク射出制御用データ作成のアルゴリズム等の、印刷に関する各種設定をいう。
【００６３】
さらに、ＣＰＵ等で構成される制御部（不図示）は、この画像処理に関するすべての制御を行う。すなわち、本体２２内部の各構成要素の制御（例えば、記憶部７０のデータ読出し・書込み）のみならず、Ｉ／Ｆ６４を介して表示装置２４に表示制御信号を送信する制御や、Ｉ／Ｆ６８を介して測色計２０から測色データを取得する制御等も含まれる。
【００６４】
本実施形態の画像処理装置１６は以上のように構成され、上述した各画像処理機能は、基本ソフトウェア（オペレーティングシステム）上で動作する、例えば記憶部７０に記憶された応用ソフトウェア（プログラム）を用いて実現することができる。
【００６５】
図４は、本実施形態に係る指定色の入力のための設定画面の例を示す図である。
【００６６】
設定画面１００には、左上から右下の方に順番に、６つのラジオボタン１０２ａ〜１０２ｆと、３個のテキストボックス１０４と、３個のテキストボックス１０５と、４個のテキストボックス１０６と、２個のプルダウンメニュー１０７、１０８と、２個のプルダウンメニュー１０９、１１０と、［測色］と表示されたボタン１１２と、カラーホイール１１４と、参照パッチ１１６と、［中止］、［ＯＫ］と表示されたボタン１１８、１２０とが設けられている。
【００６７】
ラジオボタン１０２ａ〜１０２ｆの右方には、「Ｌ＊ａ＊ｂ＊で指定」、「ＲＧＢで指定」、「ＣＭＹＫで指定」、「測色計で測定」、「特色名で指定」、「カラーホイールで指定」とそれぞれ表示されている。
【００６８】
３個のテキストボックス１０４、３個のテキストボックス１０５、４個のテキストボックス１０６には、キーボード２８（図１参照）を用いて数字を含む各種文字の入力が自在である。
【００６９】
プルダウンメニュー１０７は、３個のテキストボックス１０５の右方に設けられており、欄には「ｓＲＧＢ」からなる文字が表示されている。また、プルダウンメニュー１０８は、４個のテキストボックス１０６の右方に設けられており、欄には「ＩＳＯ  ｃｏａｔｅｄ」からなる文字が表示されている。
【００７０】
プルダウンメニュー１０９、１１０は、４個のテキストボックス１０６の下方に設けられており、欄には「測色計の機種名」、「特色名のリスト」からなる文字がそれぞれ表示されている。
【００７１】
カラーホイール１１４は、カラーパレット１２２、環状ポインタ１２４、カラーバー１２６、三角ポインタ１２８とから構成される。
【００７２】
カラーパレット１２２は矩形状であり、その領域内には連続的に変化する色が表示されている。カラーパレット１２２の左方には「Ｌ」なる文字と上下方向を向く２本の矢印とが、その下方には「Ｃ」なる文字と左右方向を向く２本の矢印とがそれぞれ設けられている。また、カラーパレット１２２の領域内（図４では右上部）には環状ポインタ１２４が設けられており、その領域内での移動が自在である。
【００７３】
カラーパレット１２２の右方には、上下方向に延在する縦長のカラーバー１２６が設けられている。カラーバー１２６には、その上下方向に連続的に変化する色が表示されている。また、カラーバー１２６の右方には三角ポインタ１２８が設けられており、カラーバー１２６に沿って上下方向に移動が自在である。
【００７４】
カラーホイール１１４の右方に設けられた矩形状の参照パッチ１１６には、環状ポインタ１２４が指示する色と同一色が表示されている。
【００７５】
図５は、本実施形態に係る指定色の調整のための第一の設定画面の例を示す図である。
【００７６】
設定画面１３０には、上から順番に、プルダウンメニュー１３２と、［推奨メディア］と表示されたボタン１３３と、表示欄１３４と、カラーパレット１３６と、グラフ１３８と、上下方向に並設された３個のスピンボタン付テキストボックス１４０と、グラフ１４２と、［中止］、［次へ］と表示されたボタン１４４、１４６が設けられている。
【００７７】
プルダウンメニュー１３２の左方部には「印刷プロファイル」なる文字列が表示されている。表示欄１３４には、上から順番に「ガマット内」、「ガマット境界」及び「ガマット外」からなる欄が設けられており、「ガマット外」の左方別欄には「○」が表示されている。
【００７８】
カラーパレット１３６は、「指定色」と表示された色見本パッチ１４８と、「印象一致（Ａ）」、「明度一致（Ｂ）」、「彩度一致（Ｃ）」及び「最短距離（Ｄ）」と表示され、それぞれ類似する色からなる候補色パッチ１５０ａ、１５０ｂ、１５０ｃ及び１５０ｄ、「基準色」と表示された基準色パッチ１５０ｅとから構成されている。また、その左方部には「マッピング方法設定」なる文字列が表示されている。
【００７９】
３個のスピンボタン付テキストボックス１４０は、キーボード２８又はマウス３０の所定の操作により、後述する基準色におけるＬ＊ａ＊ｂ＊値をそれぞれ独立に設定可能である。
【００８０】
グラフ１３８及び１４２は、Ｌ＊ａ＊ｂ＊空間の所定の断面図が二次元座標系（Ｌ＊−ａ＊平面、ａ＊−ｂ＊平面、Ｌ＊−ｂ＊平面のいずれかの座標系）として表示されたものであり、その二次元座標系には数点のプロットがなされている。
【００８１】
図６は、本実施形態に係る指定色の調整のための第二の設定画面の例を示す図である。
【００８２】
設定画面１６０には、上から順番に、パッチ選択画像１６２と、上下方向に並設されたスピンボタン付テキストボックス１６４、１６６（２組）と、［カラーチャート印刷］、［戻る］、［確定］、［中止］と表示されたボタン１６８、１７０、１７２、１７４とが設けられている。
【００８３】
パッチ選択画像１６２は、指定色調整用カラーチャート３４ｃの描画を模した画像から構成されており、行番号１７６と、列番号１７８と、マトリクス画像１８０と、［詳細設定］と表示されたボタン１８２とを備える。
【００８４】
さらに、マトリクス画像１８０は、太線で示される外枠１８４と、２７個のカラーパッチ１８６と、破線で示される１２本の補助線１８８と、十字形状のポインタ１９０とから構成される。
【００８５】
１２本の補助線１８８は、縦線９本、横線３本から構成されており、各カラーパッチ１８６の中心位置を通るように格子状に設けられている。
【００８６】
２組のスピンボタン付テキストボックス１６４、１６６は、キーボード２８又はマウス３０の所定の操作により、基準色の色値（Ｌ＊，ａ＊，ｂ＊）、色差間隔（ΔＬ＊，Δａ＊，Δｂ＊）の値をそれぞれ独立に設定可能である。
【００８７】
図７は、本実施形態に係る指定色の調整のための第三の設定画面の例を示す図である。
【００８８】
設定画面２００には、上から順番に、「指定色設定一覧」と表示された表示欄２０２と、「電子原稿の修正値」と表示された表示欄２０４と、「特色ＤＢの修正値」と表示された表示欄２０６と、［戻る］、［終了］と表示されたボタン２０８、２１０とが設けられている。
【００８９】
表示欄２０２には、特色名が表示された欄２１２と、Ｌ＊ａ＊ｂ＊値が表示された欄２１４と、ＲＧＢ値が表示された欄２１６と、ＣＭＹＫ値が表示された欄２１８と、色値等の指定方法が表示された欄２２０とから構成される。
【００９０】
表示欄２０４には、Ｌ＊ａ＊ｂ＊値が表示された欄２２２と、ＲＧＢ値が表示された欄２２４と、ＣＭＹＫ値が表示された欄２２６と、デバイス依存データがＲＧＢ値である目標プロファイルの種類の設定が自在であるプルダウンメニュー２２８と、デバイス依存データがＣＭＹＫ値である目標プロファイルの種類の設定が自在であるプルダウンメニュー２３０とが設けられている。
【００９１】
表示欄２０６には、ＲＧＢ値が表示される欄２３２と、ＣＭＹＫ値が表示される欄２３４とから構成される。なお、ＲＧＢ値、ＣＭＹＫ値のいずれの値も０〜１００％の百分率で表示されている。
【００９２】
図８は、本実施形態に係るカラーチャート条件の設定画面の例を示す図である。
【００９３】
設定画面２４０には、上から順番に、パッチ選択画像２４２と、スライダバー２４４、２４６と、［戻る］、［設定変更］と表示されたボタン２４８、２５０とが設けられている。
【００９４】
パッチ選択画像２４２は、図６に示すパッチ選択画像１６２と類似した外観構成であり、行番号２５２と、列番号２５４と、太線で示される外枠２５６と、破線で示される３０本の補助線２５８とを備える。なお、３０本の補助線２５８は、縦線２５本、横線５本から構成されており、格子状に設けられている。
【００９５】
スライダバー２４４は、設定画面２４０の左右方向に延在するゲージ２６０と、該ゲージ２６０上に左右方向に移動が自在であるスライダ２６２が設けられている。ゲージ２６０左端の左方部には「カラーパッチ個数」なる文字が表示されており、スライダ２６２の下方部には目盛「５」の位置を指示する矢印２６４が表示されている。
【００９６】
スライダバー２４６は、設定画面２４０の左右方向に延在するゲージ２６６と、該ゲージ２６６上に左右方向に移動が自在であるスライダ２６８が設けられている。ゲージ２６６左端の左方部には「次の色差間隔」なる文字が表示されており、スライダ２６８の下方部には目盛「大」寄りの位置を指示する矢印２７０が表示されている。
【００９７】
スライダバー２４４の右方部には、「矢印の指示値は現在の推奨値です。」からなる文字列２７２が表示されている。
【００９８】
図９は、本実施形態に係る推奨するメディア３２の種類を表示する画面の例を示す図である。
【００９９】
確認画面２８０には、上から順番に、プルダウンメニュー２８２、２８４と、２個のラジオボタン２８６ａ、２８６ｂと、２個のラジオボタン２８８ａ、２８８ｂと、表示欄２９０と、［戻る］と表示されたボタン２９２とが設けられている。
【０１００】
プルダウンメニュー２８２の左方には「印刷機名」なる文字列が、プルダウンメニュー２８４の左方には「メディア属性」なる文字列が、それぞれ表示されている。
【０１０１】
ラジオボタン２８６ａの左方には「表示項目」と、ラジオボタン２８６ａの右方には「推奨のみ」と、ラジオボタン２８６ｂの右方には「すべて」とそれぞれ表示されている。ラジオボタン２８８ａの左方には「表示順」と、ラジオボタン２８８ａの右方には「ガマット距離」と、ラジオボタン２８８ｂの右方には「メディア属性」とそれぞれ表示されている。
【０１０２】
表示欄２９０は、「メディア属性」を表示する欄２９４と、「メディア品目」を表示する欄２９５と、「ガマット境界までの距離」を表示する欄２９６と、該欄２９６の右側に設けられたスクロールバー２９８とから構成される。なお、表示欄２９０には、８行分（最上行の見出し欄を除く。）の各種情報を同時に表示可能である。
【０１０３】
この実施形態に係る印刷システム１０は、基本的には以上のように構成されるものであり、次にその動作について説明する。
【０１０４】
図１０は、本実施形態に係る印刷システム１０を用いて適切な色の印刷物３４を得るためのフローチャートである。図１及び図１０を主に参照しながら説明する。
【０１０５】
先ず、作業者は、形成しようとする印刷物３４に関する印刷条件やその観察態様を調査する（ステップＳ１）。ここで、印刷条件には、印刷に使用する印刷機１８の種類、メディア３２の種類、又は前述した印刷モード等が含まれる。また、観察態様には、観察光源としての光源の属性（種類、分光データ）のみならず、観察しようとする印刷物３４の画像種別も含まれる。この画像種別として、反射画像（反射光源を主光源とする画像）、透過画像（透過光源を主光源とする画像）、又は、混合画像（反射光源及び透過光源を主光源とする画像）が挙げられる。
【０１０６】
次いで、作業者は、印刷機１８に適切なプロファイルを選定する（ステップＳ２）。通常、目標プロファイル又は印刷プロファイルは、本体２２の記憶部７０に保存されている。印刷機１８に適切なプロファイルが登録（図３に示す記憶部７０に記憶）されていない場合は、印刷プロファイルを別途生成することができる。
【０１０７】
次いで、印刷機１８を用いて電子原稿を印刷し、印刷物３４を得る（ステップＳ３）。ここで、図示しないラミネート処理装置を用いて印刷物３４にラミネート処理を施し、その画像形成面上に保護膜を設けてもよい。そうすれば、画像の擦過性・堅牢性を向上させることができる。
【０１０８】
次いで、印刷物３４の画像の色を評価し（ステップＳ４）、画像の色が適切か否かを判断する（ステップＳ５）。所望の色合いが得られたか否かについての評価方法としては、画像の全体的外観又は部分的外観に着目し、作業者等の目視により良否を判断する方法、あるいは、測色計２０を用いて印刷物３４の所定の箇所を測色し、その値が所望の範囲内に収まるか否かで判断する方法等を用いることができる。
【０１０９】
特に、本実施形態では、カラー画像の所定の箇所に対して指定色（色見本の現物等）が指定されており、当該箇所の色と前記指定色とが略同色であるか否かで判断される。
【０１１０】
この画像評価の結果、印刷物３４の画像が適切でないと判断された場合は、プロファイルの変更等を行うことにより色の微調整を行う（ステップＳ６）。この具体的方法としては、プロファイルの再設定・再生成、プロファイルの微調整（現在設定されているプロファイルの補正）、又は電子原稿の印刷データの補正等が挙げられる。
【０１１１】
以下、印刷と評価を繰り返すことにより（ステップＳ３〜Ｓ６）、所望の色の印刷物３４が得られる。
【０１１２】
ここで、プロファイルの生成（ステップＳ２）の際の、画像処理装置１６による画像処理の流れについて、図３を参照しながら詳細に説明する。
【０１１３】
記憶部７０により記憶された所定のＣＭＹＫ値データに基づいて、プロファイル用データ生成部７８により生成された画像データは、図３に示すように矢印Ｒ１の経路から印刷機ドライバ５６に供給され、電子原稿の印刷と同様の動作により印刷機１８側に供給される。このようにして得られた図示しないプロファイル用カラーチャートの各カラーパッチを、画像処理装置１６に接続された測色計２０を用いて測色し、Ｌ＊ａ＊ｂ＊の色値を取得する。この色値のデータは記憶部７０に一旦記憶される。その後、指定されたＣＭＹＫ値と得られたＬ＊ａ＊ｂ＊との対応関係に基づいて３次元−４次元変換ＬＵＴをデータとして含む印刷プロファイルを生成することができる。
【０１１４】
また、電子原稿の印刷（ステップＳ３）の際の、画像処理装置１６による画像処理の流れについて、図３を参照しながら詳細に説明する。
【０１１５】
編集装置１４から供給された電子原稿（ＰＤＬ形式）が、ＬＡＮ１２及びＩ／Ｆ５０を介して画像処理装置１６に入力されると、前記電子原稿は、ＲＩＰ５２によりそれぞれ８ビットのＣＭＹＫラスタ形式（デバイス依存の画像データ）に展開され、目標プロファイル処理部７２によりＬ＊ａ＊ｂ＊（デバイス非依存の画像データ）に変換され、印刷プロファイル処理部７４によりＣＭＹＫ値（デバイス依存の画像データ）に変換され、印刷機ドライバ５６により印刷制御信号（すなわち、インク射出制御データ）に変換され、Ｉ／Ｆ５８を介して印刷機１８に供給される。その後、印刷機１８により所望の印刷物３４が印刷される。
【０１１６】
このとき、複数の設定条件に対応する目標プロファイル及び印刷プロファイルが予め記憶部７０に記憶されているので、予め設定された各種条件に応じて選択的に目標プロファイル及び印刷プロファイルが目標プロファイル処理部７２及び印刷プロファイル処理部７４に供給される。ここで、各プロファイルに対して印刷機１８の印字モード等を加味した補正を適宜行うように構成すれば、さらに適切な色変換処理を行うことができる。
【０１１７】
以上、本実施形態に係る画像処理方法を用いて適切な印刷物３４を得るためのフローチャートについて説明した。次いで、ステップＳ６での色の微調整方法（プロファイルの変更方法を含む。）について更に詳細に説明する。
【０１１８】
図１１は、指定色調整用カラーチャート３４ｃを用いた指定色の調整方法（ステップＳ６）に関するフローチャートである。
【０１１９】
先ず、指定色の色値を入力する（ステップＳ６１）。
【０１２０】
図４に示すように、作業者は、表示装置２４（図１参照）により表示される設定画面１００において、提示されている指定色の色値の入力方法（図４では６通り）のうち１つを選択し、その入力方法に対応するラジオボタン１０２ａ〜１０２ｆをクリックする。
【０１２１】
ラジオボタン１０２ａに対応する「Ｌ＊ａ＊ｂ＊で指定」とは、既知の指定色のＬ＊ａ＊ｂ＊値を数字で直接入力する方法である。具体的には、キーボード２８（図１参照）を用いて、３個のテキストボックス１０４に、設定画面１００の左側からＬ＊、ａ＊、ｂ＊の配列順に色値を入力する。
【０１２２】
この入力例として、作業者は、カラーチップ等の色見本を画像処理装置１６とは接続されていない外部の測色計（不図示）により測色し、そのＬ＊ａ＊ｂ＊値を入力することができる。
【０１２３】
ラジオボタン１０２ｂに対応する「ＲＧＢで指定」とは、既知の指定色のＲＧＢ値の数値を直接入力する方法である。具体的には、キーボード２８（図１参照）を用いて、３個のテキストボックス１０５に、設定画面１００の左側からＲ、Ｇ、Ｂの配列順に色値を入力する。
【０１２４】
この入力例として、作業者は、色見本の現物を所持していないが、指定色としてのＲＧＢ値を知っている場合には、この値を直接入力することができる。
【０１２５】
また、作業者は、電子原稿のデータの属性に応じて適切な目標プロファイルを選択し、プルダウンメニュー１０７を用いて設定する。そうすると、選択された目標プロファイル（図４では、「ｓＲＧＢ」）に対応するＲＧＢ−Ｌ＊ａ＊ｂ＊変換式により、３個のテキストボックス１０５に入力されたＲＧＢ値は、Ｌ＊ａ＊ｂ＊値に変換される。
【０１２６】
ラジオボタン１０２ｃに対応する「ＣＭＹＫで指定」とは、既知の指定色のＣＭＹＫ値の数値を直接入力する方法である。具体的には、キーボード２８（図１参照）を用いて、４個のテキストボックス１０６に、設定画面１００の左側からＣ、Ｍ、Ｙ、Ｋの配列順に色値を入力する。
【０１２７】
この入力例として、作業者は、色見本の現物を所持していないが、指定色としてのＣＭＹＫ値を知っている場合には、この値を直接入力することができる。
【０１２８】
また、作業者は、電子原稿の画像データの属性に応じて適切な目標プロファイルを選択し、プルダウンメニュー１０８を用いて設定する。そうすると、選択された目標プロファイル（図４では、「ＩＳＯ  ｃｏａｔｅｄ」）に対応するＣＭＹＫ−Ｌ＊ａ＊ｂ＊変換式により、４個のテキストボックス１０６に入力されたＣＭＹＫ値は、Ｌ＊ａ＊ｂ＊値に変換される。
【０１２９】
ラジオボタン１０２ｄに対応する「測色計で測定」とは、カラーチップ等の色見本を測色計２０により測色し、そのＬ＊ａ＊ｂ＊値を入力する方法である。具体的には、測色計２０で測色可能な状態となるように色見本をセットした後、［測色］ボタン１１２をクリックすると、測色計２０により得られた色値が、Ｉ／Ｆ６８を介して、画像処理装置１６側に自動的に取得され、その後記憶部７０に記憶される。
【０１３０】
ラジオボタン１０２ｅに対応する「特色名で指定」とは、記憶部７０やデータベースＤＢ等に記憶・管理されている特色名を参照することにより、該特色名に対応するＬ＊ａ＊ｂ＊の色値を取得する方法である。
【０１３１】
ラジオボタン１０２ｆに対応する「カラーホイールで指定」とは、カラーホイール１１４を用いてＬ＊ａ＊ｂ＊の色値を取得する方法である。具体的には、作業者は、マウス３０のドラッグ操作により、カラーパレット１２２上の環状ポインタ１２４を移動させる。そうすると、横方向は彩度（Ｃ）、縦方向は明度（Ｌ）を変数として指定色を変化させることができる。また、作業者は、マウス３０のドラッグ操作により、カラーバー１２６上の三角ポインタ１２８を上下方向に移動させる。そうすると、縦方向は色相（Ｈ）を変数として指定色を変化させることができる。
【０１３２】
環状ポインタ１２４、三角ポインタ１２８を移動させると、現在の指示値が更新され、該指示値（ＬＣＨ）がＬ＊ａ＊ｂ＊値に変換され、該Ｌ＊ａ＊ｂ＊値が表示装置２４のプロファイルによりＲＧＢ値に変換され、該ＲＧＢ値に基づいて表示装置２４が駆動され、参照パッチ１１６として表示装置２４の画面上に表示される。
【０１３３】
ラジオボタン１０２ａ〜１０２ｅにより選択された入力方法により色値が入力されていると、その値がカラーホイール１１４上の環状ポインタ１２４、三角ポインタ１２８の指示値に反映されている。その値から参照パッチ１１６に表示されている色と、色見本の現物とを比較観察しながら、入力値をさらに微調整することができる。
【０１３４】
作業者は、６通りのうち一の入力方法を選択し、指定色に関する情報を入力した後、［ＯＫ］ボタン１２０をクリックする。そうすると、入力された指定色の色値は記憶部７０に記憶される。なお、［中止］ボタン１１８のクリックにより、指定色の入力作業は中止される。
【０１３５】
次いで、作業者は、基準色の初期値を設定する（ステップＳ６２）。ここで、基準色の初期値の設定方法に関して、図１２のフローチャートを参照しながら説明する。
【０１３６】
先ず、指定色の色値が読み出される（ステップＳ６２１）。読み出されるＬ＊ａ＊ｂ＊値は、設定画面１００（図４）から設定された値であって、記憶部７０により記憶されている。
【０１３７】
次いで、読み出されたＬ＊ａ＊ｂ＊値が、印刷機１８のガマット内の色か否かを判定する（ステップＳ６２２）。この判定は、ガマット内外判定部９０により行われる。
【０１３８】
作業者は、図５に示す設定画面１３０において、プルダウンメニュー１３２を用いて色調整を行おうとする印刷機１８及びメディア３２の組み合わせの種類を選択する。そうすると、選択された印刷機１８及びメディア３２の組み合わせの種類に応じて、記憶部７０に記憶されている印刷プロファイルが取得される。
【０１３９】
使用するメディア３２の種類が予め決定されている場合はその種類を選択すればよい。しかし、使用可能なメディア３２の種類が多数存在しその中から１種類を選択する場合、各メディア３２の印刷特性を知らない作業者にとってその選択が困難である。そこで、推奨するメディア３２を別の画面に表示させることができる。
【０１４０】
作業者は、プルダウンメニュー１３２の右方にある［推奨メディア］ボタン１３３をクリックする。そうすると、設定画面１３０は図９に示す確認画面２８０に遷移される。
【０１４１】
作業者は、この確認画面２８０上で、プルダウンメニュー２８２を用いて実際に印刷物３４を印刷させる印刷機１８の名称を選択する。次いで、作業者は、プルダウンメニュー２８４を用いて候補として抽出されるメディア３２の属性を選択する。図９では、例えば「反射メディアすべて」を選択しているので、反射画像を印刷するためのメディア３２が候補として抽出される。その他のメディア属性としては、透過画像を印刷するためのメディア３２を抽出する「透過メディアすべて」や、基材がポリ塩化ビニルからなるメディア３２を抽出する「塩化ビニル」や、すべてのメディア３２を抽出する「すべて」等が選択できる。
【０１４２】
作業者は、メディア３２の表示項目のうち、「推奨のみ」か「すべて」のいずれかをラジオボタン２８６ａ、２８６ｂで択一的に選択する。ラジオボタン２８６ａにより「推奨のみ」が選択されると、プルダウンメニュー２８４の選択により抽出されたメディア３２群のうち、推奨条件を満たすメディア３２のみが表示欄２９０に表示される。一方、ラジオボタン２８６ｂにより「すべて」が選択されると、プルダウンメニュー２８４の選択により抽出されたメディア３２群のすべてが表示される。
【０１４３】
なお、上記推奨条件は種々設けることができるが、本実施形態では入力された指定色がガマット内の色であることとする。
【０１４４】
作業者は、メディア３２の表示順のうち、「ガマット距離」か「メディア属性」のいずれかをラジオボタン２８８ａ、２８８ｂで択一的に選択する。ラジオボタン２８８ａにより「ガマット距離」が選択されると、指定色の色値と各メディア３２のガマット境界との距離Δｅ（以下、「ガマット距離」という。）が大きい順に表示される。このガマット距離は、ガマット内の色は正の値、ガマット境界上の色は０、ガマット外の色は負の値をとるように定義される。ガマット内の色はガマット境界から離れるほど値が大きく、ガマット外の色はガマット境界から離れるほど値が小さくなる（数値の絶対値は大きくなる）。一方、ラジオボタン２８８ｂにより「メディア属性」が選択されると、欄２９４に表示される「メディア属性」について所定の順（例えば、アルファベット順）に表示される。
【０１４５】
印刷機１８等の各種選択がなされると同時に、ガマット内外判定部９０により、各メディア３２の印刷プロファイルが取得され、指定色が各メディア３２のガマット内の色であるか否かがそれぞれ判定される。
【０１４６】
図９では、プルダウンメニュー２８２により「ＰＲＩＮＴＥＲ−１」が、プルダウンメニュー２８４により「反射メディアすべて」が、ラジオボタン２８６ａにより「推奨のみ」が、ラジオボタン２８８ａにより「ガマット距離」がそれぞれ選択されている。よって、印刷機名が「ＰＲＩＮＴＥＲ−１」である印刷機１８を用いて「反射メディアすべて」を印刷する際、ガマット距離が正の値であるメディア３２に関する情報のみが、ガマット距離が大きい順番に上から表示欄２９０に表示される。
【０１４７】
メディア３２に関する情報として、例えば、欄２９４にはメディア属性が表示され、欄２９５にはメディア品目が表示され、欄２９６には、欄２９５に示すメディア３２のガマット距離Δｅの値が表示される。表示欄２９０に表示されるメディア３２の種類の数が８を超える場合は、スクロールバー２９８を上下方向に移動させることで他の種類が表示可能である。
【０１４８】
なお、指定色がガマット外の色であることを表記する方法は符号（マイナス）に限られず、文字や欄等の表示色を異ならせる方法等により識別してもよい。また、推奨しないメディア３２の種類を、推奨するメディア３２の種類と併せて表示欄２９０に表示する場合には、その箇所にハッチングを付す等により、そのメディア３２を除外すべき旨を明示してもよい。
【０１４９】
作業者は、推奨されるメディア３２の種類を確認した後、表示欄２９０の右方にある［戻る］ボタン２９２をクリックする。そうすると、確認画面２８０は図５に示す設定画面１３０に遷移される。
【０１５０】
作業者による印刷プロファイルの種類の選択後、ガマット内外判定部９０（図３参照）により、前記印刷プロファイルが備える色変換ＬＵＴを用いて、設定された基準色についての印刷機１８のガマットの属否が判定される。ここで、「ガマットの属否」とは、所定の色がガマット内の色であるか否かの属性をいう。
【０１５１】
もし、ガマット内の色であると判定された場合、表示欄１３４の「ガマット内」欄の左方にある別欄に丸印が付される。
【０１５２】
作業者は、表示欄１３４で「ガマット内」であることを確認すると、［次へ］ボタン１４６を押す。そうすると、指定色の色値が基準色として設定される（ステップＳ６２３）。
【０１５３】
なお、本実施の形態では、ガマット内の色であるか否か（すなわち、ガマット外の色であるか）の判定のみならず、ガマット内であってもガマット境界近傍の色かをも判定することができる。この場合、表示欄１３４の「ガマット内」欄の左方にある別欄に丸印が付される。
【０１５４】
一方、ガマット外の色であると判定された場合、指定色は、複数のマッピング方法によりマッピングがなされる（ステップＳ６２４）。マッピング部９２により、印象一致によるマッピング方法、明度一致によるマッピング方法、彩度一致によるマッピング方法、最短距離によるマッピング方法を用いて、色値がそれぞれガマットの範囲内の色にマッピングされる。以下、このマッピングされた色を「変換色」という。
【０１５５】
マッピングされた各変換色の色値は、マッピング部９２から記憶部７０に供給され、その後記憶部７０に記憶される。
【０１５６】
なお、マッピング部９２は、上記した方法以外の方法でマッピングしてもよく、上記した４つ全てのマッピング方法を用いてマッピングする必要はない。マッピング部９２は、複数のマッピング方法を用いて取得したガマット外にある色をガマット内の色にマッピングすればよい。
【０１５７】
次いで、指定色と、マッピング後の複数の変換色とを表示装置２４に同時に隣接させ、比較表示をさせる（ステップＳ６２５）。候補色パッチ１５０ａ〜１５０ｄの背景は、各種マッピング方法に基づいてマッピングされた各変換色が表示されている。
【０１５８】
カラーパレット１３６内の縦長の色見本パッチ１４８の背景は指定色で表示されている。ここで、図５に示される指定色とは、設定画面１００（図４参照）において入力された色であり、以降の色調整作業において変更されない色である。
【０１５９】
基準色パッチ１５０ｅの背景は基準色で表示されている。ここで、図５に示される基準色とは、現在基準として設定された色であり、再設定により変更が自在な色である。
【０１６０】
候補色パッチ１５０ａには「印象一致」が、候補色パッチ１５０ｂには「明度一致」が、候補色パッチ１５０ｃには「彩度一致」が、候補色パッチ１５０ｄには「最短距離」が、それぞれマッピング方法として適用されている。なお、各マッピング方法の具体的内容については後述する。
【０１６１】
このように、基準色の初期色としての指定色と、現在の基準色と、前記指定色のマッピング後の各色とを同一画面に且つ隣接して表示させることにより、各色の比較が容易になり、マッピング方法の選択の一助となる。
【０１６２】
また、グラフ１３８には各マッピング方法の概念図が表示されており、均等色空間上での指定色のマッピング結果が各プロットと対応付けられている。これにより、作業者は、マッピング方法とその色変換の傾向を十分に理解することができるので、色調整作業への納得感が得られる。
【０１６３】
作業者は、指定色に最も近い色となったマッピング方法、又は、所望する色に近い色となった一のマッピング方法を選択する。なお、候補色パッチ１５０ａ〜１５０ｄを表示させることなく、一のマッピング方法を単に選択できるようにしてもよい。
【０１６４】
作業者は、複数のマッピング方法（図５では、４種類）のうち一のマッピング方法（例えば、「明度一致」とする。）を選択し、該方法に対応する候補色パッチ１５０ｂをマウス３０でクリックすると、候補色パッチ１５０ｂの外周に選択枠１５２が択一的に設定される。
【０１６５】
ガマット内外判定部９０では、マッピング方法が選択されたか否かが判断される（ステップＳ６２６）。マッピング方法が選択されていないと判断されると、選択されるまでステップＳ６２６に留まる。一方、ステップＳ６２６でマッピング方法が選択されたと判断すると、選択されたマッピング方法によってマッピングされた変換色が、基準色として設定される（ステップＳ６２７）。
【０１６６】
設定された基準色がＯＫであると判断した場合は、作業者は「次へ」ボタン１４６をクリックする（ステップＳ６２８）。
【０１６７】
一方、色値の調整の要否を判断し（ステップＳ６２９）、必要に応じて色値の調整を行う（ステップＳ６３０）。
【０１６８】
３個のスピンボタン付テキストボックス１４０を用いて、各色値Ｌ＊、ａ＊、ｂ＊をそれぞれ独立に調整することができる。また、各色値Ｌ＊、ａ＊、ｂ＊の更新の都度、色値及びの色の表示が変更される（ステップＳ６３１）。
【０１６９】
さらに、表示装置２４上にカラーパレット１３６の色を適切に表示させるため、記憶部７０に記憶された表示装置２４の表示プロファイルを用いて色変換した後に、指定色等を表示させることが好ましい。
【０１７０】
指定色の色値について既に設定されているので、その値を基準色として用いてもよい。しかし、作業者は、色調整の効率をさらに向上させるために、設定画面１３０の下方に設けられたグラフ１４２を参照しながら、予め設定された基準色（Ｌ＊０，ａ＊０，ｂ＊０）を微調整することができる。
【０１７１】
基準色の微調整には、スピンボタン付テキストボックス１４０が用いられる。スピンボタン付テキストボックス１４０に、設定画面１００（図４参照）により既に設定された指定色の色値が表示されている。作業者は、キーボード２８によるテキストボックスへの直接入力や、マウス３０を用いたスピンボタンの操作により、基準色の値を微調整できる。
【０１７２】
グラフ１４２には、各色のプロットが均等色空間上に表示されている。図示される４点のプロットは、上述の４種類のマッピング方法に対応する。基準色の値を変更すると、グラフ１４２のプロット位置に即時に反映される。
【０１７３】
なお、グラフ１４２には、ガマットの断面のみならず、その表面を２次元で表示させてもよい。また、４点のプロットは、マッピング方法に応じて異なる色で表示してもよい。これにより、作業者は、マッピング方法とそのマッピング後の色との対応付けについて視覚的に把握できる。
【０１７４】
また、基準色の設定値の変更には、図５に示される構成に限られず、スライダバーやカラーホイール等の種々のＧＵＩに関する構成を採り得る。
【０１７５】
次いで、指定色調整用カラーチャート３４ｃの色差間隔の初期設定を行う（ステップＳ６３）。色差間隔（ΔＬ＊，Δａ＊，Δｂ＊）の初期値に関しては、色調整作業の経験則上、適切な値を設けておくことができる。作業者の嗜好に応じて、色差間隔を初期の段階で変更できるようにしてもよい。
【０１７６】
このようにして、基準色（Ｌ＊０，ａ＊０，ｂ＊０）及び色差間隔（Ｌ＊０，ａ＊０，ｂ＊０）の初期設定を行う（ステップＳ６２、Ｓ６３）。これらの値は、ＧＵＩを介して画像処理装置１６に取得され、記憶部７０により記憶され、カラーチャート条件設定部８４（図３参照）により設定される。
【０１７７】
作業者は、基準色を入力した後、［次へ］ボタン１４６をクリックする。そうすると、設定画面１３０は図６に示す設定画面１６０に遷移される。
【０１７８】
次いで、印刷機１８の色値のずれを補正する（ステップＳ６４）。所定のカラーパッチ３６における色の設計値（Ｌ＊（ｄｅｓ），ａ＊（ｄｅｓ），ｂ＊（ｄｅｓ））に対して、測色計２０による実測値（Ｌ＊（ｍｅａｓ），ａ＊（ｍｅａｓ），ｂ＊（ｍｅａｓ））が得られたとする。このとき、補正量Ｌ＊（ｄｉｆｆ）、ａ＊（ｄｉｆｆ）、ｂ＊（ｄｉｆｆ）を（１）〜（３）式のように算出することができる。
Ｌ＊（ｄｉｆｆ）＝Ｌ＊（ｍｅａｓ）−Ｌ＊（ｄｅｓ）            …（１）
ａ＊（ｄｉｆｆ）＝ａ＊（ｍｅａｓ）−ａ＊（ｄｅｓ）            …（２）
ｂ＊（ｄｉｆｆ）＝ｂ＊（ｍｅａｓ）−ｂ＊（ｄｅｓ）            …（３）
【０１７９】
このように、画像データを生成する際、各色の設計値に補正量Ｌ＊（ｄｉｆｆ）、ａ＊（ｄｉｆｆ）、ｂ＊（ｄｉｆｆ）を加算することにより、印刷色の僅かな色ずれが補正可能であり、色再現精度を更に向上させることができる。なお、この作業に印刷物３４は、後に印刷する指定色調整用カラーチャート３４ｃを援用することができる。
【０１８０】
この補正量の値は、記憶部７０により一旦記憶される。その後、前記補正量は、色ずれ補正部８６（図３参照）に供給されるので、印刷色の色ずれを補正した適切な印刷プロファイルが生成される。
【０１８１】
次いで、指定色調整用カラーチャート３４ｃを印刷する（ステップＳ６５）。
【０１８２】
色の異なる複数のカラーパッチ３６を二次元的に配置する際の色の決定方法の一つとして、均等色空間ＣＩＥＬＡＢ系の３つの変数（Ｌ＊，ａ＊，ｂ＊）についてカラーパッチ３６の位置毎に徐々に変化させる方法が考えられる。具体的には、各カラーパッチ３６に対応する画素値を、（４）〜（６）式のように決定することができる。
Ｌ＊ｉ＝Ｌ＊０＋ΔＬ＊×ｉ  （ｉは整数）          …（４）
ａ＊ｊ＝ａ＊０＋Δａ＊×ｊ  （ｊは整数）          …（５）
ｂ＊ｋ＝ｂ＊０＋Δｂ＊×ｋ  （ｋは整数）          …（６）
【０１８３】
この場合、基準色は（Ｌ＊０，ａ＊０，ｂ＊０）からなる色に相当し、色差間隔は（ΔＬ＊，Δａ＊，Δｂ＊）に相当する。指定色調整用カラーチャート３４ｃが有する各カラーパッチ３６により形成される色領域のことを「提示領域」と呼ぶことにする。
【０１８４】
図１３は、例えば、図２に示す指定色調整用カラーチャート３４ｃ上のカラーパッチ３６の色の設計値を示している。表の左方部、上方部に示される番号は、行番号３８、列番号４０にそれぞれ対応しており、各欄の上段、中段及び下段はそれぞれ（４）式に示す「ｉ」の値、（５）式に示す「ｊ」の値及び（６）式に示す「ｋ」の値を示す。
【０１８５】
このように、指定色調整用データ生成部７６（図３参照）により、隣接するカラーパッチ３６の色差が略等間隔になるような画像データが生成される。なお、この基準色及び色差間隔は、カラーチャート条件設定部８４により予め設定され記憶部７０に記憶されているデータを読み出して用いることができる。
【０１８６】
指定色調整用データ生成部７６により生成された画像データは、図３に示すように矢印Ｒ２の経路から印刷プロファイル処理部７４に供給され、電子原稿の印刷と同様の動作により印刷機１８側に供給される。このようにして得られた指定色調整用カラーチャート３４ｃ（図２参照）の各カラーパッチ３６は、予め設計した色（Ｌ＊，ａ＊，ｂ＊）を略再現する。
【０１８７】
ここで、指定色調整用カラーチャート３４ｃを印刷するための画像データは、ＴＩＦＦやＢｉｔｍａｐ等のラスタ画像データに限られず、ＰＤＦやＰｏｓｔＳｃｒｉｐｔ（登録商標）等のＰＤＬ形式の画像データでもよい。
【０１８８】
指定色調整用カラーチャート３４ｃを印刷する場合における画像処理装置１６の動作原理について、図示しないプロファイル用カラーチャートの場合と同様であるため説明を割愛する。
【０１８９】
次いで、作業者は、印刷された指定色調整用カラーチャート３４ｃのうちカラーパッチ３６を１個選択する（ステップＳ６６）。具体的には、カラーチップや、表示装置２４の画面上に表示された色等である目標となる指定色を表す色見本と、指定色調整用カラーチャート３４ｃとを比較観察し、指定色に最も近い色であるカラーパッチ３６を選択する。
【０１９０】
このように構成しているので、作業者が指定色調整用カラーチャート３４ｃを観察する際にカラーパッチ３６の色の変化が略等間隔で視認されるため、指定色に最も近い色であるカラーパッチ３６を容易に選択できる。
【０１９１】
なお、カラーパッチ３６の選択に関して、指定色との近似性が極めて高い場合は１個を選択してもよいし、隣接する４個のカラーパッチ３６の中間位置として選択してもよい。また、２７個のカラーパッチ３６が提示する色のいずれにも該当しない場合は、その範囲外であるとの選択をしてもよい。
【０１９２】
あるいは、作業者は、測色計２０を用いて各カラーパッチ３６を直接測色し、その測色値を手掛かりに指定色に最も近い色であるカラーパッチ３６を選択してもよい。
【０１９３】
次いで、作業者は、選択したカラーパッチ３６の識別情報を入力する（ステップＳ６７）。具体的には、作業者は、入力装置２６により、選択されたカラーパッチ３６の配置位置に対応した行番号３８、列番号４０が表す値（図２参照）を入力する。
【０１９４】
なお、入力されるカラーパッチ３６の識別情報として、配置位置に関する情報のみならず、色情報を用いてもよい。色情報とは、色を特定するための各種情報であり、色見本の現物のみならず、その色値又は種類等が含まれる。色見本の色値には、デバイス依存データあるいはデバイス非依存データが含まれる。色見本の種類には、製造業者名、色見本番号等が含まれる。
【０１９５】
予め決定されたカラーパッチ３６の個数と色差間隔の値が模擬データ生成部７９に供給され、該模擬データ生成部７９により、指定色調整用カラーチャート３４ｃ上の各カラーパッチ３６の配置を模擬した画像データが生成される。図示しない制御部（表示制御部）の表示制御により、前記画像データは、Ｉ／Ｆ６４を介して表示装置２４にマトリクス画像１８０（図６参照）として表示される。設定画面１６０において、マトリクス画像１８０の領域内のいずれかの位置を、指示部としてのマウス３０（図１参照）でクリックすると、その位置にポインタ１９０が配置される。
【０１９６】
そうすると、マトリクス画像１８０の一部として表示された各カラーパッチ１８６と、ポインタ１９０との相対的位置関係によって、カラーパッチ３６の物理的間隔、すなわち色差間隔（ΔＬ＊，Δａ＊，Δｂ＊）よりも高い分解能で選択色の指示が可能となる。指示色算出部９６（図３参照）により、ポインタ１９０の指示位置からその位置に対応する色値（選択色値）が算出される。その算出例を以下に示す。
【０１９７】
図１４Ａ及び図１４Ｂは、図６に示すポインタにより所定の色が選択されたときのパッチ選択画像の一部拡大概略図である。例えば、なお、行番号１７６、列番号１７８の配置は図６と比較して異なるが、説明の便宜上変更している。
【０１９８】
図１４Ａにおいて、行番号（０）、列番号（０’）を中心として、二次元座標を表示している。
【０１９９】
カラーパッチ３６の中心位置であるＣ１の色は（Ｌ＊０＋ΔＬ＊，ａ＊０，ｂ＊０）で表される。そうすると、（ｘ，ｙ）＝（０．５，０．５）を指示するポインタ１９０ａの位置の色は、内挿による補間演算によって、（Ｌ＊０＋ΔＬ＊，ａ＊０＋０．５・Δａ＊，ｂ＊０＋０．５・Δｂ＊）と算出される。
【０２００】
図１４Ｂにおいて、行番号（０）、列番号（０”）を中心として、二次元座標を表示している。
【０２０１】
Ｃ２の色は（Ｌ＊０−ΔＬ＊，ａ＊０，ｂ＊０）で表される。そうすると、（ｘ，ｙ）＝（−０．７，１．７）を指示するポインタ１９０ｂの位置の色は、外挿による補間演算によって、（Ｌ＊０−ΔＬ＊，ａ＊０−０．７・Δａ＊，ｂ＊０＋１．７・Δｂ＊）と算出される。
【０２０２】
あるいは、カラーパッチ３６の提示領域を超えた場合、すなわち、ｘ＜−１、１＜ｘ（又はｙ＜−１、１＜ｙ）のときには、カラーパッチ３６の色の提示範囲の圏外と判断し、別の演算を施してもよい。
【０２０３】
なお、ガマット外の色のように色再現できない領域や、ガマット近傍の色のように非線形性が強く色再現精度が低下する領域にある色のカラーパッチ３６を印刷する際に、作業者への注意喚起という観点で、音声や画面表示等による警告を促すことが好ましい。
【０２０４】
また、そのカラーパッチ３６の位置に対応するカラーパッチ１８６（図６参照）に識別印を付すことが好ましい。識別印を付すことには、カラーパッチ１８６の周辺にマークを付するのみならず、カラーパッチ１８６自体を変形させることも含まれる。
【０２０５】
例えば、（４）〜（６）式に基づいて算出された色（Ｌ＊，ａ＊，ｂ＊）がガマット外の色である場合は、その色に対応するカラーパッチ１８６の画素値を置き換え、黒色パッチを表示させることが好ましい。そうすれば、作業者は、指定色調整用カラーチャート３４ｃの印刷前に、黒色パッチの箇所は選択候補から除外されている旨を知ることができる。
【０２０６】
また、ガマット内の色であるが、ガマット境界の近傍色である場合は、その色に対応するカラーパッチ１８６の外周に太線の枠を付し、太枠パッチを表示させることが好ましい。そうすれば、作業者は、指定色がガマットの境界近傍であることを意識しながら色調整を行うことができる。
【０２０７】
さらに、指定色調整用カラーチャート３４ｃと同等の描画仕様にしているので、作業者にとって対応関係が明確になり好ましい。
【０２０８】
さらに、ガマットの属否を明確にするため、黒色パッチと太枠パッチのように、異なる形態で表示されることがさらに好ましい。さらにまた、識別印を付する手段は、黒色パッチの代わりに白色にしてもよいし、カラーパッチ１８６の周辺に所定の識別印（○×等）を付してもよいことはいうまでもない。
【０２０９】
次いで、作業者は、選択された１個のカラーパッチ３６によって指定色と略同色を再現できたか否かを判断する（ステップＳ６８）。その結果、略同色でなく更に選択の余地があるものと判断した場合は、作業者は次の基準色及び色差間隔を再設定する（ステップＳ６９）。
【０２１０】
作業者は、図６に示すマトリクス画像１８０内の所定位置でマウス３０（図１参照）のクリック操作を行うと、ポインタ１９０の指示位置が変更され、スピンボタン付テキストボックス１６４の表示値が即時に自動更新され、新たな基準値が設定される。
【０２１１】
色差間隔に関しては、スピンボタン付テキストボックス１６６を用いて再設定できる。例えば、さらに詳細に色調整を行いたい場合は色差間隔を小さく設定すればよく、指定色がカラーパッチ３６の提示領域の範囲外にあると判断した場合は、色差間隔を大きく設定すればよい。
【０２１２】
このような作業には、ある程度の色に関する知識と熟練度を要する。そこで、推奨値を参照しながらカラーチャートの設定を行うことができる。作業者が［詳細設定］ボタン１８２をクリックすると、設定画面１６０は図８に示す設定画面２４０に遷移される。
【０２１３】
設定画面２４０の上方部に設けられたパッチ選択画像２４２は、指定色調整用カラーチャート３４ｃの二次元的配置を模した画像である。縦線及び横線から構成される補助線２５８の各交点が各カラーパッチ３６の中央位置に相当する。
【０２１４】
なお、本実施の形態でのパッチ選択画像２４２には、各カラーパッチ３６の形状が省略して表示されているが、カラーパッチ３６との配置関係が把握できる描画仕様であれば、その表示態様は問わない。
【０２１５】
スライダバー２４４のスライダ２６２は、現在、ゲージ２６０上の「５」の位置を指し示している。これは、正方状に配設されたカラーパッチ３６の各段における一辺あたりの個数（以下、「パッチ個数」という。）を表している。よって、Ｌ＊、ａ＊、ｂ＊のいずれも５通りの値を取り得ることから、５×５×５＝１２５個のカラーパッチ３６が配設されることになる。
【０２１６】
作業者は、スライダ２６２を左右方向に移動させることにより、３〜７個の範囲でパッチ個数を変更することができる。そして、パッチ個数の設定を変更すると、前記パッチ個数に対応するように、パッチ選択画像２４２の描画仕様が即時に変更される。
【０２１７】
スライダバー２４６のスライダ２６８は、現在、ゲージ２６６上の略中央位置を指し示している。作業者は、スライダ２６８を左右方向に移動させることにより、予め設定された範囲内で次の色差間隔を変更することができる。
【０２１８】
矢印２６４、２７０は、「パッチ個数」及び「次の色差間隔」の現在の推奨値に相当するゲージ２６０、２６６上の位置を指示する（文字列２７２の表記を参照）。この推奨値は、カラーパッチ３６の過去の選択履歴、入力された指定色の色値、印刷機１８のガマット特性等を総合的に考慮して、決定することができる。
【０２１９】
作業者は、推奨値に従って、あるいは自らの好みで指定色調整用カラーチャート３４ｃの各設定を変更する場合は［設定変更］ボタン２５０をクリックし、かかる設定の変更を行わない場合は［戻る］ボタン２４８をクリックする。そうすると、設定画面２４０は図６に示す設定画面１６０に再び遷移される。
【０２２０】
作業者は、パッチ個数、基準色及び色差間隔を再設定した後、図６に示す［カラーチャート印刷］ボタン１６８をクリックする。すると、これらの値が模擬データ生成部７９に供給され、該模擬データ生成部７９により新たに画像データが生成され、該画像データは表示装置２４にマトリクス画像１８０として表示される。換言すれば、更新されたマトリクス画像１８０は、設定画面２４０で設定された描画仕様、すなわち、次に印刷される指定色調整用カラーチャート３４ｃと同様の描画仕様を有している。
【０２２１】
指定色調整用カラーチャート３４ｃが印刷機１８により印刷されると、設定の変更内容に応じてカラーパッチ３６の個数が変更され、基準色及び色差間隔が変更される。
【０２２２】
なお、カラーパッチ３６の個数をスライダバー２４４（図８参照）で変更した後、その変更値に応じて、設定画面１６０（図６参照）や設定画面２４０（図８参照）に更新表示させるタイミングは問わない。例えば、指定色調整用カラーチャート３４ｃを印刷する前に更新表示してもよいし、指定色調整用カラーチャート３４ｃの印刷後であって、ポインタ１９０（図６参照）の指示操作により選択色値を取得した後に更新表示してもよい。
【０２２３】
このように、再設定された次の基準色及び色差間隔に基づいて指定色調整用カラーチャート３４ｃが印刷される。なお、指定色の調整（ステップＳ６２）の途中で［中止］ボタン１７４をクリックするとこの作業は中止される。
【０２２４】
以上のようにして、指定色調整用カラーチャート３４ｃ上において指定色と同色が再現されるまでこの作業を繰り返す（ステップＳ６５〜Ｓ６９）。一方、指定色と同色が再現されたと判断された場合、作業者は［確定］ボタン１７２をクリックする。
【０２２５】
そうすると、ステップＳ６４（図１１参照）で算出された色ずれ補正量、ステップＳ６９（同参照）で、設定画面１６０（図６参照）を介して、最後に設定された基準色の色値（Ｌ＊，ａ＊，ｂ＊）、色差間隔（ΔＬ＊，Δａ＊，Δｂ＊）及びポインタ１９０（図６参照）の指示値に基づいて印刷プロファイルは変更され（ステップＳ７０）、指定色の調整作業は終了する。
【０２２６】
具体的には、パッチ色データ変換部８８により、指定色に最も近い色として、印刷された指定色調整用カラーチャート３４ｃの中から選択されたカラーパッチ３６に応じた色値（選択色値、第１の色値）が取得される。また、第２取得部としての入力装置２６を介して、指定色の色値は、第２の色値として本体２２側に入力され、取得される。そして、プロファイル生成部８０により、パッチ色データ変換部８８からの第１の色値と、入力装置２６からの第２の色値に基づいて、印刷機１８のプロファイルが補正される。
【０２２７】
あるいは、印刷プロファイルを変更するのではなく、電子原稿のデータを直接補正するようにしてもよい。なお、電子原稿のデータには、写真やコンピュータグラフィック等のデータの他に、ロゴマーク等のイラストデータや、グラデーション等の色値を指定してあるデータも含まれる。以下、その一例を示す。
【０２２８】
作業者が、設定画面１６０の［確定］ボタン１７２（図６参照）をクリックすると、ステップＳ６４で算出された色ずれ補正量、ステップＳ６９で、設定画面１６０（図６参照）を介して、最後に設定された基準色の色値（Ｌ＊，ａ＊，ｂ＊）、色差間隔（ΔＬ＊，Δａ＊，Δｂ＊）及びポインタ１９０（図６参照）の指示値に基づいて最終的な修正値Ｌ＊ａ＊ｂ＊が算出されるとともに、設定画面１６０は図７に示す設定画面２００に遷移される。
【０２２９】
図７の表示欄２０２には、設定画面１００（図４参照）で入力された指定色に関する情報と同一の内容が表示されるので、作業者はその内容を容易に確認できる。例えば、特色名が提示された場合は、欄２１２にその特色名が表示される。あわせて、前記特色名に対応するＬ＊ａ＊ｂ＊値が欄２１４に表示され、前記特色名に対応するＲＧＢ値が欄２１６に表示され、前記特色名に対応するＣＭＹＫ値が欄２１８に表示される。さらに、その色値の指定方法が「Ｌ＊ａ＊ｂ＊で指定」の旨も欄２２０に表示される。
【０２３０】
なお、図４に示す「ＲＧＢで指定」で指定色が入力された場合、欄２１６にはＲＧＢ値が表示される。また、「ＣＭＹＫで指定」で指定色が入力された場合、欄２１８にはＣＭＹＫ値が表示される。「カラーホイールで指定」で指定色が入力された場合、欄２１４にはＬ＊ａ＊ｂ＊値が表示される。
【０２３１】
プルダウンメニュー２２８、２３０には、初期設定として、図４に示す設定画面１００のプルダウンメニュー１０７、１０８で設定された目標プロファイルが表示されている。選択された目標プロファイルに応じて、表示欄２０４の欄２２４にはＲＧＢ値、欄２２６にはＣＭＹＫ値がそれぞれ自動的に表示される。
【０２３２】
このＲＧＢ値は、プルダウンメニュー２２８で選択された目標プロファイルが備える３次元−３次元ＬＵＴに基づいて算出される。また、このＣＭＹＫ値は、プルダウンメニュー２３０で選択された目標プロファイルが備える３次元−４次元ＬＵＴに基づいて算出される。
【０２３３】
作業者は、Ｌ＊ａ＊ｂ＊値、ＲＧＢ値、ＣＭＹＫ値の修正値又は特色名を確認した後、［終了］ボタン２１０をクリックする。その後、作業者は、図示しない設定画面に修正値又は特色名を入力する。すると、電子原稿のデータのうち、指定色として色が指定された箇所の修正値に置換することにより、印刷色を調整することができる。Ｌ＊ａ＊ｂ＊値の場合は直接的に置換され、ＲＧＢ又はＣＭＹＫの場合は目標プロファイルを用いて得られたＬ＊ａ＊ｂ＊に置換することにより、電子原稿の色値を補正することができる。
【０２３４】
さらに、自動又は手動により、特色データベースが管理する色情報｛特色名と色値（Ｌ＊ａ＊ｂ＊又はＣＭＹＫ）との対応付け｝を新たな修正値に更新させることができる。この更新された特色データを用いることにより、印刷物３４の色を調整することができる。例えば、特色データベースのＬ＊ａ＊ｂ＊を更新した場合はＬ＊ａ＊ｂ＊で定義された電子原稿のデータに対し、特色データベースのＣＭＹＫを更新した場合は印刷プロファイルを用いて印刷機１８のＣＭＹＫ値に変換された電子原稿のデータに対し、それぞれ色値を補正することができる。
【０２３５】
このように、電子原稿の色値を補正するために、選択色値に応じたデバイス依存データ又はデバイス非依存データのうち少なくとも１つを表示装置２４に表示させることで、作業者は、その表示された色値を参照しながら円滑に作業を行うことができる。そして、作業者が複数の補正方法から所望の方法を選択できるように、複数種の色値を併せて表示してもよい。
【０２３６】
以上のようにして、指定色の調整作業が完了する（ステップＳ６）。
【０２３７】
ところで、上述した各マッピング方法の概要について図１５Ａを参照しながら詳細に説明する。ガマットＧはＬ＊ａ＊ｂ＊の均等色空間内の閉空間で表現されるが、ここでは、説明の便宜上、縦軸をＬ＊とし、横軸をａ＊（又はｂ＊）として二次元的に表記する。
【０２３８】
印刷機１８のガマットＧは、ガマット境界３００の内側の閉じた領域で表現されるものとする。指定色３０２は、ガマットＧの範囲外であると判断された色である。この指定色３０２をガマットＧ内の所定の色に変換する。
【０２３９】
色３０４は、印象一致によるマッピング方法によりマッピングされた色を示している。ここで、印象一致によるマッピング方法とは、指定色の色域（青色、黄色、緑色、赤色等）に応じて異なるマッピング方法を用いてマッピングする方法である。そうすれば、ＣＩＥＬＡＢ系の均等色空間の歪み、すなわち、色の数値と視覚の感度特性との対応関係のずれを修正して、視覚の感度特性に一層近づけることができる。
【０２４０】
例えば、青色の領域は彩度方向の変化に対する感度が低い傾向に鑑みて、指定色の色域が青色付近である場合はＪＣｈ空間での最短距離によるマッピング方法を選択すると好ましい。
【０２４１】
色３０６は、明度一致によるマッピング方法によりマッピングされた色を示している。ここで、明度一致によるマッピング方法とは、指定色３０２の明度と略一致するガマットＧ内の色のうち、指定色３０２との色差が最小となる色にマッピングする方法である。
【０２４２】
色３０８は、彩度一致によるマッピング方法によりマッピングされた色を示している。ここで、彩度一致によるマッピング方法とは、指定色３０２の彩度と略一致するガマットＧ内の色のうち、該指定色３０２との色差が最小となる色にマッピングする方法である。
【０２４３】
色３１０は、最短距離によるマッピング方法によりマッピングされた色を示している。ここで、最短距離によるマッピング方法とは、指定色３０２との色差が最小となるガマットＧ内の色にマッピングする方法である。
【０２４４】
図１５Ｂは、図１５Ａに示す明度一致及び彩度一致のマッピング方法の変形例を示す図である。
【０２４５】
図１５Ａの例では、明度又は彩度の差にのみに注目し、指定色３０２との色差の許容値に関しては一切考慮されていなかった。図１５Ｂに示す変形例は、指定色３０２との色差の許容値を考慮しながらも、明度・彩度が略一致する色を選択するものである。
【０２４６】
まず、指定色３０２とガマットＧとの最短距離ΔＣ＊ｍｉｎよりも大きい値であるΔＣ＊を許容される色差（許容誤差）として設定する。すると、指定色３０２を中心とする半径ΔＣ＊の円領域と、ガマットＧの領域とが重複する重複領域３１２が選択され得る色の領域に該当する。
【０２４７】
重複領域３１２内の色のうち、指定色３０２との明度の差が最小となる色３１４を選択しマッピングする方法が明度優先である。また、重複領域３１２内の色のうち、指定色３０２との彩度の差が最小となる色３１６を選択しマッピングする方法が彩度優先である。このようなマッピング方法を用いても良い。
【０２４８】
次いで、指定色調整用カラーチャート３４ｃのうち指定色に最も近いカラーパッチ３６の選択結果を設定する別の方法について、図１６〜図２１を参照しながら詳細に説明する。
【０２４９】
図１６は、本実施形態の変形例に係る指定色の調整のための第二の設定画面である。
【０２５０】
設定画面４００の中央部には、指定色調整用カラーチャート３４ｃを模したパッチ選択画像４０２が設けられている。パッチ選択画像４０２の上方には、左右方向に延在するカラーバー４０４が設けられている。カラーバー４０４の右端から左端にかけてＬ＊が高くなるように連続階調の色で表示されている。パッチ選択画像４０２の左方には、上下方向に延在するカラーバー４０６が設けられている。カラーバー４０６の下端から上端にかけてａ＊が高くなるように連続階調の色で表示されている。パッチ選択画像４０２の左下方には、左右方向に延在するカラーバー４０８が設けられている。カラーバー４０８の右端から左端にかけてｂ＊が高くなるように連続階調の色で表示されている。
【０２５１】
パッチ選択画像４０２は、２７個のカラーパッチ４１０で構成されており、カラーパッチ４１０の表示色は、上述した（１）式〜（３）式及び図１３に示す通りである。２７個のカラーパッチ４１０の中央に位置する中央パッチ４１２に表示される色は、現在設定されている基準色である。また、カラーバー４０４、４０６、及び４０８の中央位置の色は、いずれも基準色（中央パッチ４１２の色）となるように表示されている。
【０２５２】
図１７に示すように、別のウィンドウに設定画面４１４も併せて表示される。パッチ個数と色差間隔（ΔＬ＊、Δａ＊、Δｂ＊）をそれぞれ独立に変更が自在である４個のプルダウンメニュー４１６と、「中央位置の選択」と表示されたチェックボックス４１８、［更新］と表示されたボタン４２０とから構成される。
【０２５３】
設定画面４１４のチェックボックス４１８をチェックした後に［更新］ボタン４２０をクリックすると、設定画面４００が図１８に示すように変化する。
【０２５４】
新たな設定画面４００Ｓには、カラーパッチ４１０の位置に重畳するように設けられた２７個の表示パッチ４２２（３行３列を単位とした表示パッチ群４２４ａ、４２４ｂ、４２４ｃ）の外周に設けられた８個ずつの小ボタン４２６ａ、４２６ｂ、４２６ｃと、カラーバー４０４に重畳する位置に設けられた３個の横長ボタン４２８ａ、４２８ｂ、４２８ｃと、２個の小ボタン４３０、４３２と、２個の小ボタン４３４、４３６とから構成される。説明の便宜上、図１７では、カラーパッチ４１０の図示を省略している。
【０２５５】
いずれのボタンも白色で表示されており、且つ、表示パッチ４２２がカラーパッチ４１０の配設位置から僅かにずらして重畳表示されているので、作業者は、色選択作業を行いながら表示色を確認することができる。図１８では、一例として中央パッチ４１２の配設位置を示している。
【０２５６】
各表示パッチ４２２をマウス３０（図１参照）でクリックすると、そのクリックされた表示パッチ４２２には太枠４３８（図１９参照）によるマークが付される。このようにして、クリック操作により表示パッチ４２２の指定が可能であり、同様に指定の解除や再指定が自在である。
【０２５７】
作業者は、指定色調整用カラーチャート３４ｃの中から最も近い色のカラーパッチ３６を選択し、そのカラーパッチ３６の配設位置に対応する表示パッチ４２２をクリックする。その後、設定画面４１４の［更新］ボタン４２０（図１７参照）をクリックすることにより、次の基準色が設定され、中央パッチ４１２の色が次の基準色になるように新たに表示色が更新される。
【０２５８】
図１９に示すように、指定された表示パッチ４２２が１個（表示パッチ４４０ａ）である場合、選択された表示パッチ４２２に対応する色が新たな基準色として設定され、パッチ選択画像４０２Ｓの表示色が更新される。
【０２５９】
図２０に示すように、上下左右に隣接する２個の表示パッチ４２２をクリックすることにより、上下左右に隣接する２個の表示パッチを同時に指定することができる。このように、指定された表示パッチ４２２が２個（表示パッチ４４０ａ、４４０ｂ）である場合、選択された２個の表示パッチ４２２に対応する色の中間色が新たな基準色として設定され、パッチ選択画像４０２Ｓの表示色が更新される。
【０２６０】
図２１に示すように、斜め方向に隣接する２個の表示パッチ４２２（マウスポインタ４４２の位置）をクリックすることにより、その近接する４個の表示パッチ４２２を同時に指示することができる。このように、指示された表示パッチ４２２が４個（表示パッチ４４０ａ〜４４０ｄ）である場合、選択された４個の表示パッチ４２２に対応する色の中間色が新たな基準色として設定され、パッチ選択画像４０２Ｓの表示色が更新される。
【０２６１】
２個又は４個の表示パッチが同時に指示された状態で［更新］ボタン４２０（図１７参照）をクリックすると、指定色の探索範囲がさらに絞られたものと判定され、次の色差間隔が自動的に小さく設定される。これにより、より詳細な色の探索を行うことができる。
【０２６２】
図１８に示す表示パッチ４２２の周辺に設けられた２４個の小ボタン４２６ａ〜４２６ｃのうちのいずれか１個をクリックすると、表示色の移動が行われる。
【０２６３】
上方中央の小ボタン４２６ａをクリックすると、ａ＊の値がΔａ＊だけ増加するように表示色の移動が行われる。また、上方左の小ボタン４２６ａをクリックすると、ａ＊及びｂ＊の値がΔａ＊及びΔｂ＊だけ増加するように表示色の移動が行われる。このように、小ボタン４２６ａ〜４２６ｃの配設位置と表示色の移動方向とが対応しているので操作性が高い。
【０２６４】
また、Ｌ＊を手動で調整する場合は、横長ボタン４２８ａ〜４２８ｃや小ボタン４３０、４３２、４３４、４３６を用いる。なお、以下の説明において、現在設定されている色差間隔（明度成分）がΔＬ＊に設定されているものとする。
【０２６５】
横長ボタン４２８ａ〜４２８ｃは、ΔＬ＊の単位で表示色を移動させるボタンである。例えば、横長ボタン４２８ｂがクリックされると、その時点で指定されている表示パッチ４２２（例えば、表示パッチ群４２４ａの中央のパッチとする。）が、クリックされた横長ボタン４２８ｂの下方の表示パッチ群４２４ｂの対応する位置（すなわち、表示パッチ群４２４ｂの中央のパッチの位置）になるように移動される。つまり、Ｌ＊の値がΔＬ＊だけ減少するように表示色の移動が行われる。
【０２６６】
小ボタン４３０、４３２は、ΔＬ＊／２の単位で表示色を移動させるボタンである。例えば、小ボタン４３０がクリックされると、表示パッチ群４２４ａ及び４２４ｂの中間値が、次の中央パッチ４１２の色となるように移動される。つまり、Ｌ＊の値がΔＬ＊／２だけ減少するように表示色の移動が行われる。
【０２６７】
同様にして、小ボタン４３２がクリックされると、表示パッチ群４２４ｂ及び４２４ｃの中間値が、次の中央パッチ４１２の色となるように移動される。つまり、Ｌ＊の値がΔＬ＊／２だけ増加するように表示色の移動が行われる。
【０２６８】
小ボタン４３４、４３６は、２ΔＬ＊の単位で表示色を移動させるボタンである。例えば、小ボタン４３４がクリックされると、現在の表示パッチ群４２４ａの位置が次の表示パッチ群４２４ｃの位置になるように移動される。つまり、Ｌ＊の値が２ΔＬ＊だけ減少するように表示色の移動が行われる。
【０２６９】
同様にして、小ボタン４３６がクリックされると、現在の表示パッチ群４２４ｃの位置が次の表示パッチ群４２４ａの位置になるように移動される。つまり、Ｌ＊の値が２ΔＬ＊だけ増加するように表示色の移動が行われる。
【０２７０】
なお、この発明は、上述した実施形態に限定されるものではなく、この発明の主旨を逸脱しない範囲で自由に変更できることは勿論である。
【０２７１】
本実施形態では、指定色調整用カラーチャート３４ｃ上の各カラーパッチ３６の形状は矩形であるがこれに限定されることはなく、例えば、三角形、六角形、円形等でもよい。
【０２７２】
また、カラーパッチ３６の配列方法についても、その識別情報との対応関係が明確である限り、種々の配列形態を採ることができる。例えば、カラーパッチ３６が正六角形である場合は、ハニカム構造に配列することにより、色の配列方法を工夫することができる。
【０２７３】
本実施形態では、指定色調整用カラーチャート３４ｃ上に付された行番号３８及び列番号４０（図２参照）を識別情報として、設定画面１６０（図６参照）を介して入力する構成を採っているが、識別情報の入力方法はこれらに限定されない。
【０２７４】
本実施形態では、印刷機１８がインクジェット方式である構成を採っているがこれに限定されることなく、電子写真、感熱方式等であっても本発明の作用効果を得ることができる。また、出力形態はハードコピーに限定されず、ソフトコピー、すなわち、画像表示装置（あるいは種々の表示方式）にも本発明が適用できることはいうまでもない。
【符号の説明】
【０２７５】
１０…印刷システム                        １４…編集装置
１６…画像処理装置                        １８…印刷機
２０…測色計                              ２２…本体
２４…表示装置                            ２６…入力装置
３２…メディア                            ３４…印刷物
３４ｃ…指定色調整用カラーチャート        ３６、１８６、４１０…カラーパッチ
３８、１７６、２５２…行番号              ４０、１７８、２５４…列番号
５０、５８、６４、６６、６８…Ｉ／Ｆ      ５２…ＲＩＰ
５４…色変換処理部                        ５６…印刷機ドライバ
６０…色管理部                            ６２…画像データ生成部
７０…記憶部                              ７２…目標プロファイル処理部
７４…印刷プロファイル処理部              ７６…指定色調整用データ生成部
８０…プロファイル生成部                  ８２…指定色管理部
８４…カラーチャート条件設定部            ８６…色ずれ補正部
８８…パッチ色データ変換部                ９０…ガマット内外判定部
９２…マッピング部                        ９４…マッピング選択部
１００、１３０、１６０、２００、２４０、４００、４００Ｓ、４１４…設定画面
１３４、２０２、２０４、２０６…表示欄    １３６…カラーパレット
１５０ａ〜１５０ｄ…候補色パッチ          １５０ｅ…基準色パッチ
【図１】
0005508975.tif 000002
【図２】
0005508975.tif 000003
【図３】
0005508975.tif 000004
【図４】
0005508975.tif 000005
【図５】
0005508975.tif 000006
【図６】
0005508975.tif 000007
【図７】
0005508975.tif 000008
【図８】
0005508975.tif 000009
【図９】
0005508975.tif 000010
【図１０】
0005508975.tif 000011
【図１１】
0005508975.tif 000012
【図１２】
0005508975.tif 000013
【図１３】
0005508975.tif 000014
【図１４】
0005508975.tif 000015
【図１５】
0005508975.tif 000016
【図１６】
0005508975.tif 000017
【図１７】
0005508975.tif 000018
【図１８】
0005508975.tif 000019
【図１９】
0005508975.tif 000020
【図２０】
0005508975.tif 000021
【図２１】
0005508975.tif 000022